(57)【要約】      （修正有）【課題】エイジング塗装などの特殊塗装が容易にできる仕上材およびこの仕上材を用いた塗装方法を提供する。【解決手段】エイジング塗装などの特殊塗装が容易にできる仕上材１は、容器２内に複数の仕上材組成物３ａおよび３ｂが相互に混合することなく混在しており、容器内に複数混在している仕上材組成物３ａ、３ｂ間に着脱自在な分離部材を有し、この仕上材組成物３ａ、３ｂは、増粘剤を含み、スランプ値が２９．５以下である。また、塗装方法は、被塗装面にそれぞれ色相の異なる複数の仕上材１を塗装する工程と、この塗装過程において、複数の仕上材１が接触面で相互に混色する工程とを備える。【選択図】図１
2020169502.tif 000002
【特許請求の範囲】
【請求項１】
容器内に複数の仕上材組成物が相互に混合することなく混在してなる仕上材であって、
前記仕上材組成物の少なくとも１つの仕上材組成物は、スランプ値が２９．５以下であることを特徴とする仕上材。
【請求項２】
前記少なくとも１つの仕上材組成物は、増粘剤を含むことを特徴とする請求項１記載の仕上材。
【請求項３】
前記複数の仕上材組成物間に着脱自在な分離部材を有することを特徴とする請求項１または請求項２記載の仕上材。
【請求項４】
前記仕上材が、建築用塗材、工業用塗材、家庭用塗材、または漆喰であることを特徴とする請求項１から請求項３までのいずれか１項記載の仕上材。
【請求項５】
被塗装面に、それぞれ色相の異なる複数の仕上材組成物が混在してなる仕上材を塗装する工程と、
塗装過程において、前記複数の仕上材組成物が接触面で相互に混色する工程とを備える塗装方法であって、
前記仕上材が、請求項１から請求項４までのいずれか１項記載の仕上材であることを特徴とする塗装方法。
【発明の詳細な説明】
【技術分野】
【０００１】
本発明は仕上材および塗装方法に関する。特に、建築物の内外を塗装する塗材、塗料、または漆喰などの仕上材、およびこの仕上材を用いた塗装方法に関する。
【背景技術】
【０００２】
建築物の内外には美観や耐久性を向上させるべく内外表面に塗装される場合が多い。この塗装に用いられる仕上材は、刷毛塗りやローラ塗り、吹き付けに適した低粘度の液状物が一般的である。しかしながら、低粘度の液状物は保存するときに比重の異なる内容物が沈殿したり、色分かれが生じたりするため、塗装開始時に撹拌することが望まれている。これらの問題を解消するために、半固形状の仕上材が開発されている。例えば、仕上材のボタ落ちがなく、色むらが生じがたく、塗装開始時の撹拌作業や希釈作業をしなくてもよい仕上材として、水性樹脂エマルジョン、顔料、充填剤、補助剤からなり、ＩＣＩ値が０．５〜１．５ポイズ、ＴＩ値が４．０〜１０．０の範囲内にあるチューブ状容器入り仕上材組成物が知られている（特許文献１）。また、下地材へ直接塗装できるパテ組成物として、粉体状の充填剤、および合成樹脂エマルジョンを含有し、さらに、組成物全容積基準で１５〜８０容積％の気泡を有し、より好ましい粘度が１０〜１００Ｐａ・ｓのパテ組成物が知られている（特許文献２）。
【先行技術文献】
【特許文献】
【０００３】
【特許文献１】特開昭６４−５１４７９号公報
【特許文献２】特開２０１６−１４７９９９号公報
【発明の概要】
【発明が解決しようとする課題】
【０００４】
しかしながら、特許文献１および特許文献２に開示されている仕上材組成物は、殆ど流動性を示さないハンドクリーム程度以上の粘度を有する半固形状の組成物であるが、近年求められている新しい塗装は容易でなかった。例えば、新しい壁面などに塗装して年代を感じさせるエイジング塗装面にしようとすると、複数の色合いを複合したエイジング調に塗装することが困難であった。
【０００５】
本発明はこれらの問題に対処するためになされたものであり、エイジング塗装などの特殊塗装が容易にできる仕上材、およびこの仕上材を用いた塗装方法の提供を目的とする。
【課題を解決するための手段】
【０００６】
本発明の仕上材は、容器内に複数の仕上材組成物が相互に混合することなく混在してなり、この仕上材組成物の少なくとも１つの仕上材組成物は、スランプ値が２９．５以下であることを特徴とする。また、上記少なくとも１つの仕上材組成物は、増粘剤を含むことを特徴とする。
また、複数混在している容器内の仕上材組成物間に着脱自在な分離部材を有することを特徴とする。
また、本発明の仕上材は、建築用塗材、工業用塗材、家庭用塗材、または漆喰として使用されることを特徴とする。
【０００７】
本発明の塗装方法は、被塗装面に、それぞれ色相の異なる複数の仕上材組成物が混在してなる仕上材を塗装する工程と、塗装過程において、上記複数の仕上材組成物が接触面で相互に混色する工程とを備え、上記仕上材が本発明の仕上材であることを特徴とする。
【発明の効果】
【０００８】
本発明の仕上材は、複数の仕上材組成物が相互に混合することなく、またスランプ値が２９．５以下である高い粘性を有するので、容器から容易に流れ出ない半固形状となる。そのため、容器内では相互に混合することなく混在しているが、塗装時には複数の仕上材組成物が混合することによりエイジング調の塗装などの特殊塗装が容易にできる。
【０００９】
本発明の仕上材は、増粘剤を含む仕上材組成物であるので、市販されている液状の仕上材組成物であっても、増粘剤を配合することにより、容器内に混在させることができる半固形状の仕上材組成物とすることができる。
【００１０】
本発明の仕上材は、容器内に複数混在している仕上材組成物間に着脱自在な分離部材を有するので、個々の仕上材組成物の品質を長期間保持することができる。また、使用時に分離部材を抜き取ることにより容器内に混在させた半固形状の仕上材組成物とすることができる。
【００１１】
本発明の塗装方法は、上記仕上材を用いるので、塗装過程で複数の仕上材組成物が接触面で容易に相に混色することができる。その結果、エイジング調の塗装などを含め、より新しい塗装面を創出することができる。
【図面の簡単な説明】
【００１２】
【図１】本発明の仕上材の一例を示す斜視図である。
【図２】容器の一例を示す斜視図である。
【図３】エイジング調の塗装面の一例を示す図である。
【図４】他の仕上材の一例を示す図である。
【発明を実施するための形態】
【００１３】
本発明の仕上材は、複数の仕上材組成物が相互に混合することなく容器内に混在し、その仕上材組成物の少なくとも１つはスランプ値が２９．５以下である半固形状仕上材である。好ましくは全ての仕上材組成物のスランプ値が２９．５以下である。この半固形状の仕上材を用いて、複数の仕上材組成物を同時に壁面などに塗布すると、塗布する過程で複数の仕上材組成物が混り合うためにエイジング調などの特殊塗装が容易にできることを見い出した。本発明はこのような知見に基づくものである。エイジング調などが容易にできるため、本発明の仕上材は、高粘性塗材、高粘性塗料、漆喰、パテ組成物など、建築物の内外を装飾できる仕上材として適しており、特に建築用塗材、工業用塗材、家庭用塗材、または漆喰として好適である。
【００１４】
図１を参照して、本発明の仕上材について説明する。図１は本発明の仕上材の一例を示す斜視図である。
仕上材１は、１つの容器２内に相互に混合することなく仕上材組成物３ａおよび３ｂからなる仕上材組成物３が収容されている。仕上材組成物３は半固形状なので、容器２内に保持できる。仕上材組成物３の粘性は、半固形状を保持して、スランプ値が２９．５以下である。好ましいスランプ値は２８ｃｍ以下、より好ましいスランプ値は２５ｃｍ以下である。スランプ値が２９．５をこえると、仕上材組成物３が相互に混合していまい、半固形状の保持および塗装が困難になる。
【００１５】
スランプ値とは生コンクリートの軟らかさの程度を示す値であり、ＪＩＳ Ａ １１０１：２００５によって規定されている。このスランプ値は、スランプコーンと呼ばれる、小径１０ｃｍ、大径２０ｃｍ、高さ３０ｃｍの型に生コンを入れ、垂直上にスランプコーンを引き抜いた時に最初の高さから何ｃｍ下がったかを示す値である。スランプ値の大きい生コンクリートは軟らかいコンクリートである。本発明にあっては生コンクリートの代わりに半固形状の仕上材組成物を試料として用いて、その軟らかさの程度をスランプ値として表すことが建築物の内外を塗装する仕上材の粘性として重要であることが分かった。
【００１６】
容器の一例について図２により説明する。図２（ａ）は分離部材を設けていない容器の斜視図であり、図２（ｂ）は分離部材を設けている容器の斜視図である。
容器２は、図２（ａ）に示すような円形、または角形の筒状体であって、その筒状体の一方の端部２ａが閉じられて底面となり、他方の端部２ｂが開口して開口部となっている容器が好ましい。一斗缶、チューブなどの容器に比較して、開口している端部２ｂから、半固形状の仕上材組成物の投入配置が容易にでき、また使用時に内部から容易に取り出すことができる。容器の材質は特に制限なく使用できる。また、開口している端部２ｂには蓋２ｃを設けることが仕上材組成物の保存性を向上させるために好ましい。
【００１７】
容器２は、図２（ｂ）に示すように、容器内部に分離部材２ｄを着脱自在に設けることができる。分離部材２ｄは複数の仕上材組成物３を、保存時には確実に分離でき、塗装時には仕上材組成物の配置を損なうことなく容器２から取り出すことができる部材であれば使用できる。例えば、薄膜、薄板、好ましくはプラスチックフィルム、プラスチックプレートが挙げられる。
【００１８】
仕上材組成物３は、主に建築物の内外を塗装できる仕上材組成物であれば使用でき、後述する着色料を水などの溶媒に分散したのみのものも使用できる。仕上材組成物としては、増粘剤の配合により半固形状の仕上材組成物としやすいことから水性仕上材組成物が好ましい。
水性塗料組成物としては、水性樹脂、着色料、充填剤、各種添加剤を含む水溶解、または水分散性の仕上材組成物が挙げられる。
【００１９】
水に溶解または分散できる樹脂としては、例えば、アクリル系樹脂、シリコン系樹脂、ポリウレタン系樹脂、フッソ系樹脂、ポリ酢酸ビニル系樹脂、エポキシ系樹脂、フェノール系樹脂、ポリエステル系樹脂、アルキド系樹脂、ポリカーボネート系樹脂、メラミン樹脂などが挙げられる。これらはそれぞれ単独でまたは２種以上組み合わせて使用することができる。また、ゴムラテックスなどの弾性体分散液も使用できる。
【００２０】
着色料としては、着色顔料、体質顔料、または染料などが挙げられる。着色顔料としては、仕上材用として公知の着色顔料が使用できる。具体的には酸化チタン、酸化亜鉛、酸化アルミニウム、酸化マグネシウム、酸化アンチモン、酸化ジルコニウム、窒化アルミニウム、窒化ホウ素、炭酸亜鉛などの白色顔料、酸化鉄、ペリレン顔料、アゾ顔料、黄鉛、弁柄、朱、チタニウムレッド、カドミウムレッド、キナクリドンレッド、イソインドリノン、ベンズイミダゾロン、フタロシアニングリーン、フタロシアニンブルー、コバルトブルー、インダスレンブルー、群青、紺青などの有色顔料、アルミニウム顔料、銅、亜鉛、真ちゅう、ニッケル、酸化チタンや酸化鉄で被覆された酸化アルミニウム、酸化チタンや酸化鉄で被覆された雲母、ホログラム顔料などの光輝性顔料、カーボンブラックなどの黒色顔料などが挙げられる。これらはそれぞれ単独でまたは２種以上組み合わせて使用することができる。
【００２１】
体質顔料としては、水酸化カルシウム、ドロマイト、アタパルジャイト、セピオライト、ベントナイト、タルク、マイカ、ガラスフレーク、炭酸カルシウム、硫酸バリウム、カオリンクレーなどが挙げられる。これらはそれぞれ単独でまたは２種以上組み合わせて使用することができる。
また、染料としては、例えば、カロチン、キソントフィル、フラボン、フラボノール、アントシアニン、カルコン、ナフトキノン、アントラキノン、タンニン、インジゴ、ベンゾビラン、アルカロイド、ジケトンなどの天然染料、直接染料、建染染料、硫化染料、ナフトール染料などの合成染料などが挙げられる。これらはそれぞれ単独でまたは２種以上組み合わせて使用することができる。
【００２２】
充填剤を含む各種添加剤としては、増粘剤、改質用樹脂、架橋剤、紫外線吸収剤、光安定化剤、中空粒子、アルキルシリケート、骨材、繊維、可塑剤、レベリング剤、タレ防止剤、蛍光増白剤、シランカップリング剤、中和剤、帯電防止剤、軟化剤、抗菌剤、香料、硬化触媒、ｐＨ調整剤、調湿剤、粉状もしくは微粒子状の活性炭、光触媒酸化チタン、水性撥水剤、分散剤、消泡剤、防腐剤、防カビ剤、凍結防止剤、造膜助剤、亜鉛ウィスカ、硬化促進剤、アルデヒド吸着剤、ワックス、難燃化剤などの公知の塗料用添加剤が挙げられる。
【００２３】
充填剤を含む各種添加剤の中では増粘剤が重要であり、増粘剤の配合量を調節することにより上記スランプ値を有する半固形状の仕上材組成物が得られる。すなわち、増粘剤の配合量を増加させるとスランプ値が低下し、配合量を減らすとスランプ値が大きくなる。
【００２４】
増粘剤としては、仕上材用として公知の増粘剤が使用できる。例えば、ポリアクリル酸系、セルロース系樹脂、増粘多糖類、ウレタン変性ポリエーテル、ポリアミノプラストールエーテル、アルカリ増粘型、ポリエーテル系会合性増粘剤、ポリアミノプラストールエーテル系会合性増粘剤、無機系鉱物などの増粘剤が使用できる。具体的に、ポリアクリル酸系としては、例えば、ポリアクリル酸ナトリウムなどが挙げられる。セルロース系樹脂としては、カルボキシメチルセルロースナトリウム（ＣＭＣ）、メチルセルロース（ＭＣ）、酢酸フタル酸セルロース（ＣＡＰ）、ヒドロキシプロピルメチルセルロース（ＨＰＭＣ）、ヒドロキシプロピルメチルセルローステレフタレート（ＨＰＭＣＰ）などが挙げられる。増粘多糖類としては、カラギナン、グァーガム、ローカストビーンガムおよびその誘導体、タマリンドガム、キサンタンガム、カードラン、ウェランガム、サクシノガリカン、ダイユータンガム、アルギン酸アルキルエステル類、グルコマンナンなどが挙げられる。アルカリ増粘型としては、アクリル酸金属塩ポリマー、アクリル酸金属塩ポリマー、アクリル酸アンモニウムポリマー、カルボキシビニルポリマーなどが挙げられる。ポリエーテル系会合性増粘剤としては、多価アルコールのアルキレンオキサイド付加物、ポリアミンのＡＯ（アルキレンオキサイド）付加物、ポリカルボン酸（塩）などが挙げられる。
また、ポリビニルピロリドン、ポリビニルアルコール、ポリアクリルアミドなどのポリマー系を挙げることができる。また繊維や上記着色料や充填剤の中で増粘を引き起こす粉体、例えば、酸化チタン、炭酸カルシウムなどを使用できる。
【００２５】
仕上材組成物３は、水性樹脂、着色料、充填剤、各種添加剤を、例えば、ニーダー、ディスパーなどの分散機を用いて均一に混合し、さらに増粘剤を添加することにより半固形状の組成物として得られる。
【００２６】
仕上材組成物３は、建材用または家庭用として市販されている仕上材組成物を改質して用いることができる。例えば、市販されている缶入りの水性仕上材を準備して、この水性仕上材に水に溶解した増粘剤である上記カルボキシメチルセルロース溶液を添加して撹拌することにより、スランプ値を２９．５以下の仕上材組成物とすることができる。
【００２７】
本発明の仕上材１は、半固形状の仕上材組成物３を容器２の内部に密接して配置できる形状の型枠に入れて成形して、その成形物を容器内に配置して得られる。図１に示す仕上材１の場合、図示を省略した半円筒状の型枠を用いて、仕上材組成物３ａおよび３ｂを半円筒形に成形して、図１の矢印ＡおよびＢで示すように、容器２内に収容することで得られる。また、着脱自在の分離部材２ｄ（図２（ｂ）参照）を容器２内に配置した後、半円筒形に成形された仕上材組成物３ａおよび３ｂを収容することができる。さらに、着脱自在の分離部材２ｄ（図２（ｂ）参照）を容器２内に配置した後、それぞれの区画に半固形状の仕上材組成物３ａおよび３ｂを注入することで仕上材１が得られる。分離部材は塗装を始める前に仕上材組成物３ａおよび３ｂの形状を保持して収容したまま抜き取る。
【００２８】
本発明の塗装方法において、被塗装面にそれぞれ色相の異なる複数の仕上材を塗装する工程は、本発明の仕上材を用いて建物の壁面などに塗装する工程である。スランプ値の大きさにもよるが、例えば、ハケ塗り法、ローラ塗り法、コテやヘラ塗り法、吹付け法などを用いて塗装できる。半固形状の複数の仕上材が容器に収容されているので、多色塗が容易にできる。
【００２９】
塗装過程において、複数の仕上材が接触面で相互に混色する工程は、塗装開始時は複数色に分離していた塗装面が塗装過程で複数色が混合した塗装面になることである。具体的に、図１に示す２色が隣接する仕上材１をスポンジ状アプリケータに取って建物の壁面に塗り広げていくと、塗り広げていく過程で２色が混合する。このため、年代を感じさせる塗装面であるエイジング調の塗装面が容易にできる。塗装開始時は複数色に分離していた塗装面が塗装過程で複数色が混合した塗装面になることは本発明の塗装方法の特徴の一つである。
【００３０】
エイジング調の塗装面の一例を図３に示す。図３は建物の壁面にエイジング調の塗装を施した例である。壁面の主な塗装面４の色調の一部が年代を経た色調の塗装面５に徐々に移り変わってエイジング調の塗装面となっている。主な塗装面４を形成後に塗装面５を形成する従来方法の場合、塗装面４と塗装面５との境界を徐々に変色させるのが困難であった。本発明の仕上材を用いる塗装方法においては、塗装面４と塗装面５とが塗装過程で混色により形成されるため、エイジング調の仕上がり面とすることが容易になる。なお、多色が隣接する仕上材とすることで、エイジング調の塗装面以外に、より新しい塗装面を創出することができる。
【００３１】
本発明の仕上材の他の例について図４により説明する。図４（ａ）〜図４（ｅ）は、容器内に複数の仕上材組成物が相互に混合することなく混在している状況を表す図であり、矢印の右側の図は塗装面の一例を示す。図４において、容器の蓋は図示を省略している。
図４（ａ）に示すように、仕上材１ａは、１つの容器２内に相互に混合することなく仕上材組成物３ａおよび３ｂからなる仕上材組成物３が収容されている。仕上材組成物３ａは粒状体であり、この粒状体が仕上材組成物３ｂ内に分散している。この仕上材１ａを用いると、矢印Ｃで示すように仕上材組成物３ｂが主体となる塗装面４内に仕上材組成物３ａが主体となる塗装面５が水玉模様になり、趣の深い愛すべきグラデーションが得られる。
【００３２】
図４（ｂ）に示すように、仕上材１ｂは、１つの容器２内に相互に混合することなく仕上材組成物３ａおよび３ｂからなる仕上材組成物３が収容されている。仕上材組成物３ａは棒状体であり、この棒状が仕上材組成物３ｂ内に混入されている。この仕上材１ｂは容器の高さ方向の断面形状が一定である、いわゆる「金太郎あめ」の状態となる。このため、矢印Ｄで示すように２色の塗り分けやグラデーションがより容易となり塗装作業性が向上する。
【００３３】
図４（ｃ）に示すように、仕上材１ｃは、１つの容器２内に相互に混合することなく仕上材組成物３ａおよび３ｂからなる仕上材組成物３が収容されている。仕上材組成物３ａおよび３ｂは層状に配置されている。このため、矢印Ｅで示すように縞模様の特異なグラデーションが容易に得られる。
【００３４】
図４（ｄ）に示すように、仕上材１ｄは、１つの容器２内に相互に混合することなく仕上材組成物３ａおよび３ｂからなる仕上材組成物３が収容されている。仕上材組成物３ａは仕上材組成物３ｂ内にらせん状に配置されている。この場合、塗装面表面の２色は常に同じ面積になり易い。このため、均等なグラデーションを保ちながら塗装作業ができる。
【００３５】
図４（ｅ）は、１つの容器２内に相互に混合することなく仕上材組成物３ａおよび３ｂがランダムに配置されている例である。ランダムに配置されているため、壁面などに塗装した場合、ランダムなグラデーションを無意識に得ることができる。
【産業上の利用可能性】
【００３６】
本発明の仕上材は、塗装の過程で複数の仕上材組成物が混合しながら塗装されるので、塗装面のバリエーションを広げることができる。このため、多くの建物の壁面などの塗装に好適に利用できる。
【符号の説明】
【００３７】
１  仕上材
２  容器
３  仕上材組成物
４、５  塗装面
【図１】
2020169502.tif 000003
【図２】
2020169502.tif 000004
【図３】
2020169502.tif 000005
【図４】
2020169502.tif 000006